(57)【要約】フレーム(２)を有するベアリング(１)であって、前記フレームは少なくとも２つの基板(１２，１６)を取り囲み、平坦なときにそれぞれの基板は前記球を実質的に単一の平面または少なくとも部分的な球面内で回転可能に設け、一方の基板の平面は他方の基板の平面に対して平行であり、一方の基板の球は、一方の基板の球が他方の基板の球の回転とは逆の回転となるように、少なくとも殆どが他方の基板の球に対して設けられ、地面に横たわった患者のような物体の下に押し込み又は引き出すことができる。また、ベアリングは身体を動かすことができない患者をマッサージするために使用することもできる。
2006503243.tif 000002
【特許請求の範囲】
【請求項１】
フレームを有するベアリングであって、前記フレームは少なくとも部分的に、複数の球からなる２つの基板を取り囲み、平坦なときにそれぞれの基板は前記球を実質的に単一の平面または少なくとも部分的な球面内で回転可能に設け、一方の基板の平面は他方の基板の平面に対して平行であり、一方の基板の球は、一方の基板の球が他方の基板の球の回転とは逆の回転となるように、少なくとも殆どが他方の基板の球に対して設けられているベアリング。
【請求項２】
前記球は直径が１５ｍｍ〜２５ｍｍである請求項１記載のベアリング。
【請求項３】
着脱可能に連結される膨らまし式プラットフォームをさらに有する請求項１または２記載のベアリング。
【請求項４】
前記膨らまし式プラットフォームの両側に、利用可能で当該プラットフォームを運搬するための着脱可能なポールが設けられている請求項３記載のベアリング。
【請求項５】
前記球は直径が２．５ｍｍ〜７．５ｍｍである請求項１記載のベアリング。
【請求項６】
前記球はそれぞれの基板内に織り込まれている請求項１〜５の何れかに記載のベアリング。
【請求項７】
前記基板は１またはそれ以上の面内で湾曲している請求項１記載のベアリング。
【請求項８】
前記フレームは、エラストマー層を介して上部または下部部材に連結されている請求項１記載のベアリング。
【請求項９】
直線状または円形状の軌道に適用される請求項１記載のベアリング。
【請求項１０】
添付図面の一またはそれ以上を参照して実質的に記載されたベアリング。
【発明の詳細な説明】
【技術分野】
【０００１】
本発明はリニアベアリングに関する。
【背景技術】
【０００２】
リニアベアリングは多くの目的、たとえば英国特許第５４３，５２４号(Curran)や英国特許第１，２６３，４５６号(NRDC)などに記載されたボールコンベアに使用されている。ボールコンベアの原理は箱や加工品のような荷物を動かしたり、また病院内で患者のために使用される。
また、本発明は、患者を取り扱うだけでなく、橋の構成部材のような強固な構造を有する、同じ幅の物を動かす際の問題に対処するために、異なる形状に設計される。
救助担架は強固かつ柔軟であり、通常患者の横に置かれ、患者を持ち上げて転がす（丸太転がしと称する。）ことで担架に載せる。患者を持ち上げて転がすと背骨の傷を悪化させるので、患者を担架に載せる方法は何れも危険である。背骨に損傷を追っている場合にさらなる傷を防止するために、可能な限り患者を不安にさせることなく、特に患者の身体の残りの部分に対して頭部を動かすことなく、患者を担架に載せなければならないことは言うまでもない。
【発明の開示】
【０００３】
本発明に係るリニアベアリングは、フレームを有するベアリングであって、前記フレームは少なくとも部分的に、複数の球からなる２つの基板を取り囲み、平坦なときにそれぞれの基板は前記球を実質的に単一の平面または少なくとも部分的な球面内で回転可能に設け、一方の基板の平面は他方の基板の平面に対して平行であり、一方の基板の球は、一方の基板の球が他方の基板の球の回転とは逆の回転となるように、少なくとも殆どが他方の基板の球に対して設けられている。
【０００４】
球の並列によりベアリングを地面に横たわった事故後の患者の下に押し込み又は引き出すことができ、下部基板球の下面が地面に作用するとともに上部基板球の上面が患者に作用する。下部球の一方向の回転により上部球は逆方向に回転することになる。その結果、患者の下でベアリングが動作しても患者には少しの動作又は全く動作が伝わらない。
【０００５】
ベアリングの代替使用として、ベッド上の患者の下にスライドされ、シーツを交換するために患者は持ち上げられる。また、ベアリングは床ずれを起こした患者の下にスライドされ、あちこちに動かされて患者をマッサージする。これは患者が動けないときに特に効果的である。
【０００６】
基板は、互いに離間した各基板の球を保持するために構成されるが、下部基板の球は上部基板の球を支持するべく充分に近接する。球は好ましくは、孔が基板内の正確な幾何学的な位置に各球を配置するように、球の直径よりも小さい直径の孔を有するシート状部材により、各基板に保持されるように構成される。好ましくは、一対の基板の周囲は、球を保持する材料が固定されるフレームにより制限される。このフレームは、運搬のためにベアリングが握られたり引っ掛けられたりする輪または留め棒を有することが好ましい。
【０００７】
本発明に係るベアリングの一実施形態として、膨らまし式の第２のベアリングに対するアタッチメントを有する。この第２のベアリングは、好ましくは担架として運搬可能な着脱自在のポールを有する。
【０００８】
本発明に係るベアリングのさらなる実施形態として、それ自体が担架として運搬可能なための適当な手段、たとえばベアリング上に患者を保持するために設けられる紐を有する。
【０００９】
本発明は、互いに相対的に動くことが必要とされる２つの物体の間の摩擦力を減少させるといった優れた解決法を提供するので、互いに動かさなければならない物体が相対的に二次元または三次元に動くことができるといった、直線または必然的に直線であるものを含む曲線の両方に本発明を適用することができる。たとえば、干満のある水において船は波止場に係留され、タラップは波止場から船へ乗降するために設けられる。このような場合、船は波止場または波止場に沿った領域に対して相対的に上下移動し、波止場に対して少し近づいたり遠ざかったりする。このような場合、非船側または波止場側の端部が鉛直方向及び水平方向の両方に移動可能であるときに、船側の端部が鉛直方向に動くとともに若干鉛直方向に回転できるようにタラップを船に安全に固定することはきわめて便利である。しかしながら、このような動作は船側の道具を必要とするし、タラップのスタッフも監視する必要がある。同様の問題が台船に乗降する際にも生じる。
【００１０】
他の例として、沖合いのオイル製造プラットフォームはブリッジにより適応したプラットフォームに接続される。その状態において、プラットフォームと少なくともブリッジが要求される高さとの間に相対的な移動がある。したがって、こうした相対的な移動を許容することが重要となる。換言すれば、ブリッジは相対的力に対抗しない。
【００１１】
さらに他の例として、ブリッジのような大きな構造物は僅かに、またある制限内で橋脚に対して相対的に移動可能であることが必要とされる。この場合、エラストマーベアリングが一般に設けられる。しかしながら、これは大変だけでなく個々には安価であるが入れ替えるにはきわめて高価である。
【００１２】
さらに他の例として、大きな構造物の間の熱膨張であり、これを解消しないと構造物の間に許容できないストレスが生じ、結局のところ一方または両方の構造物が劣化する。
【発明を実施するための最良の形態】
【００１３】
本発明の実施形態を、添付した図面を参照して以下に説明する。
図１は本発明の第１実施形態に係るリニアベアリングを示す部分斜視図、図２は図１に示すリニアベアリングのＡ−Ａ線に沿う縦断面図、図３は図１に示すリニアベアリングの部分平面図、図４は膨らまし式担架に装着した図１のリニアベアリングを示す斜視図、図５は球を上部基板及び下部基板に貫通させた本発明の第２実施形態に係るリニアベアリングを示す平面図、図６は本発明の第２実施形態に係る、基板内に設けられた球を示す平面図、図７はプラットフォームとして構成された本発明に係るリニアベアリングであって図８のＹ−Ｙ線に沿う断面図、図８は図７に示すさらに他の実施形態の平面図、図９は図８のプラットフォームの分解組立図、図１０は本発明の他の実施形態に係る球状のリニアベアリングと直線的なベアリングを示す図、図１１は本発明の代替的実施形態に係る弾力のあるリニアベアリングを示す側面図、図１２は本発明のさらに他の実施形態に係る回転可能な、または直線移動可能なベアリングを示す図である。
【００１４】
図１のマットの形とされたベアリングは、柔軟性のあるプラスチック材料から構成されたフレーム２を有し、このフレームは面取り端部４を有するとともに上部貫通シート６及び下部貫通シート８を支持する。上部貫通シート６は複数の球１０を配置し、これらは第１基板１２を構成する。下部貫通シート８は第２基板１６を構成する球１４の列を配置する。第１基板の上部列の球は第２基板の下部球上に、上部球それぞれの殆どが４つの下部球によって保持されるように設置されている。
【００１５】
シート６の貫通孔１８に置かれた上部球１０は自由に回転することができる。同様に、下部シート８の貫通孔２０により、球１４は自由に回転することができる。上部球が下部球の上に載置されているので、下部球が回転すると上部球は逆方向に回転することになる。このように、地面に置いたときのベアリング１の動きは、いつも上部球をベアリングの方向に対して反対側へ動かすことになる。
【００１６】
上部球１０，１４は好ましくは硬いプラスチック材料から構成され、直径が約２０ｍｍで、シート６，８が球を適切な位置に維持すべく充分に強固なことが要求されているときは実質的に硬いが、同時にベアリングが平らでない表面を動くことができるようにある程度の柔軟性を有する。
【００１７】
図４に示すように、ベアリング１は膨らまし式プラットフォームに着脱可能に装着され、このプラットフォームはノズル２４を介して膨張したときにのみ強固となって当該プラットフォームの両側に設けられたスリーブ２８に挿入されたハンドル２６を把持することで搬送される。プラットフォーム２２に対するベアリングのアタッチメントは種々の適当な手段により構成され、ボタン、フック及びベルクロ（登録商標）のような環状材により構成することができる。
【００１８】
事故現場から患者を動かすために、ベアリング１の面取り端部４を患者の足の先端に当該患者に向かって載置される。そして、ロッド２６のフック３０の端部を輪３２に引っ掛ける。プラットフォーム２２はアタッチメント３４の部分でベアリングに連結され、そしてベアリングは救助員により患者の下にＺ方向に引っ張られる。ベアリングの上部球１０は地面上での移動にともなって、ベアリングの移動Ｚとは逆のＸ方向に回転するので、確かに鉛直方向には多少の上下移動はあるものの、患者は水平方向に対して地面上を相対的に移動することがない。プラットフォーム２２は、患者がベアリング上またはベアリングを超えて移動できるように適切に滑らかな材料により構成され、患者は徐々にプラットフォーム２２に向かって動くことになる。そして、ポール２６がスリーブ２８に挿入され、ベアリングがプラットフォームから外されたのち、患者は担架で運ばれる。もし患者が動くことができるなら、ベアリングによるこの動作で助けることができる患者に対しては、患者の下に球を位置せしめるとマッサージ機能を司ることになる。これに代えて、プラットフォーム２２のないベアリングは、たとえばベッドの半分または４分の１を覆う大きさにしてベッドの上に載置することができ、患者を担架からベッドへ移動するのに用いたり、シーツを交換するために患者をベッドから下ろすために患者の下に引っ張ったりする。この目的のために、球５０（図５及び図６参照）は直径が５ｍｍ以下である。本実施形態に係るベアリングは球に捨て糸５２を通し、糸が通された球を基板状に織り、次いで織られた基板の織り方５４により球が回転可能に支持されるように捨て糸を除去することで形成される。
【００１９】
図７，８及び図９には、本発明に係るベアリングを有する実質的に強固な合成プレート６０が示され、球６１の第１基板６２は第２基板６４の上に位置する。それぞれの基板は、図７に示すように互いにしっかりと締結された貫通孔を有するサブプレート６５，６５´に支持されている。
【００２０】
図９には伸縮自在のアーム７０が示され、このアーム７０はボールジョイント７２及びガスケット７４により上部サブプレート６５´に取り付けられている。これらのアームは、物品、特に負傷者の下のプレート６０を押すために設計され、これによりその人は、ある場所(たとえば事故現場)から他の場所(たとえば救急車)へ移動する際に有害な動作を被ることがなくなる。運搬用ハンドル(不図示)をプレートに設けても良い。
【００２１】
図１０は、たとえば陸と台船の間の陸通路または運搬用連結部への船−船と陸との間の相対的動作は台船と陸との間の動作に類似する−を示す線図である。この場合、陸を８０、台船を８２で示す。陸と台船との間のブリッジ８４は、その一端に半球面のベアリング面８５を有し、ベアリングプレート８６が８７の部分で当該ブリッジに設けられている。
【００２２】
ベアリング面８５は、球８９が２．５〜７．５ｍｍで２つの基板９０，９２に保持されていると、球面プレート８８に合致する。基板９０，９２は、陸８０に固定された半球面のポストヘッド９４に固定されている。この構成により、ブリッジは陸に対して傾斜または方位角に動くことができる。またブリッジの台船端部において、ベアリングプレート８６は、１５〜２５ｍｍの球１００で構成される一対の基板９６，９８を有する。基板９６，９８の間が互いに接続されているので、ブリッジの台船の端部は台船８２に対して、台船に向かう又は台船から離れる方向を横切る方向に相対的に動くことができる。球１００は球８９より大きく、これにより台船８２の表面１０１が半球面のポストヘッド９４に比べてより荒くても適用できる。
【００２３】
図１１は、本発明の他の実施形態であって縦横方向に少量の移動が要求される鉛直方向の構造体１１２のブリッジデッキ１１０を支持する形態を示す。図示するベアリングは上部部材１１４を有し、下部部材１１８のエラストマー接合部１１６を介して設置されている。下部部材は球１２１の第１基板１２０を有し、球１２１の離間した基板１２２の上に設置されて、これら基板１２０，１２２は囲い１２４によって動きが規制されている。また上部部材１１４は囲い１２６により対応するデッキ１１０に設置される。下部の囲い１２４と囲いの高さは予想される構造体１１０，１１２の間の相対的な動作により設計される。この構造は、鉛直方向の動きの原因となるエラストマージョイント１１６のストレスを減少させる。
【００２４】
図１２は考え方の断面図による構成を示し、円形または直線の何れの動作に対しても適用できる。また、この構成は一つの実施形態において円形及び直線の何れの動作に対しても適用できる。路線１３２を有する、１３０で示す路線構造は必要に応じて下部路線基盤プレート１３４に形成される場合に、この構造は困難な技術的課題のために意図されている。脚部１３６はフットプレート１３８を有し、このフットプレートは四角または円形に構成され、２つの基板フレーム１４０の上に設置され、各基板は球１４２を有する。
【図面の簡単な説明】
【００２５】
【図１】本発明の第１実施形態に係るリニアベアリングを示す部分斜視図である。
【図２】図１に示すリニアベアリングのＡ−Ａ線に沿う縦断面図である。
【図３】図１に示すリニアベアリングの部分平面図である。
【図４】膨らまし式担架に装着した図１のリニアベアリングを示す斜視図である。
【図５】球を上部基板及び下部基板に貫通させた本発明の第２実施形態に係るリニアベアリングを示す平面図である。
【図６】本発明の第２実施形態に係る、基板内に設けられた球を示す平面図である。
【図７】プラットフォームとして構成された本発明に係るリニアベアリングであって図８のＹ−Ｙ線に沿う断面図である。
【図８】図７に示すさらに他の実施形態の平面図である。
【図９】図８のプラットフォームの分解組立図である。
【図１０】本発明の他の実施形態に係る球状のリニアベアリングと直線的なベアリングを示す図である。
【図１１】本発明の代替的実施形態に係る弾力のあるリニアベアリングを示す側面図である。
【図１２】本発明のさらに他の実施形態に係る回転可能な、または直線移動可能なベアリングを示す図である。
【図１】
2006503243.tif 000003
【図２】
2006503243.tif 000004
【図３】
2006503243.tif 000005
【図４】
2006503243.tif 000006
【図５】
2006503243.tif 000007
【図６】
2006503243.tif 000008
【図７】
2006503243.tif 000009
【図８】
2006503243.tif 000010
【図９】
2006503243.tif 000011
【図１０】
2006503243.tif 000012
【図１１】
2006503243.tif 000013
【図１２】
2006503243.tif 000014
【手続補正書】
【提出日】平成16年5月15日(2004.5.15)
【手続補正１】
【補正対象書類名】特許請求の範囲
【補正対象項目名】全文
【補正方法】変更
【補正の内容】
【特許請求の範囲】
【請求項１】
フレームを有するベアリングであって、前記フレームは少なくとも部分的に、複数の球からなる２つの基板を取り囲み、平坦なときにそれぞれの基板は前記球を実質的に単一の平面または少なくとも部分的な球面内で回転可能に設け、一方の基板の平面は他方の基板の平面に対して平行であり、一方の基板の球は、一方の基板の球が他方の基板の球の回転とは逆の回転となるように、少なくとも殆どが他方の基板の球に対して設けられているベアリングにおいて、
一方の基板の球は前記フレームの一方の面から突出し、他方の基板の球は前記フレームの逆の面から突出するように設けられ、各基板の球は、回転中に、前記フレームに対する相対的位置を同じに維持するように拘束されていることを特徴とするベアリング。
【請求項２】
前記球は直径が１５ｍｍ〜２５ｍｍである請求項１記載のベアリング。
【請求項３】
着脱可能に連結される膨らまし式プラットフォーム（２２）をさらに有する請求項１または２記載のベアリング。
【請求項４】
前記膨らまし式プラットフォームの両側に、利用可能で当該プラットフォームを運搬するための着脱可能なポール（２６）が設けられている請求項３記載のベアリング。
【請求項５】
前記球は直径が２．５ｍｍ〜７．５ｍｍである請求項１記載のベアリング。
【請求項６】
前記球はそれぞれの基板内に織り込まれている(図５，図６)請求項１〜５の何れかに記載のベアリング。
【請求項７】
前記基板は１またはそれ以上の面内で湾曲している請求項１記載のベアリング。
【手続補正２】
【補正対象書類名】明細書
【補正対象項目名】０００２
【補正方法】変更
【補正の内容】
【０００２】          
【発明の開示】
本発明に係るリニアベアリングは、フレームを有するベアリングであって、前記フレームは少なくとも部分的に、複数の球からなる２つの基板を取り囲み、平坦なときにそれぞれの基板は前記球を実質的に単一の平面または少なくとも部分的な球面内で回転可能に設け、一方の基板の平面は他方の基板の平面に対して平行であり、一方の基板の球は、一方の基板の球が他方の基板の球の回転とは逆の回転となるように、少なくとも殆どが他方の基板の球に対して設けられているベアリングにおいて、一方の基板の球は前記フレームの一方の面から突出し、他方の基板の球は前記フレームの逆の面から突出するように設けられ、各基板の球は、回転中に、前記フレームに対する相対的位置を同じに維持するように拘束されていることを特徴とする。
【手続補正３】
【補正対象書類名】明細書
【補正対象項目名】００１１
【補正方法】変更
【補正の内容】
【００１１】
【発明を実施するための最良の形態】
本発明の実施形態を、添付した図面を参照して以下に説明する。
図１は本発明の第１実施形態に係るリニアベアリングを示す部分斜視図、図２は図１に示すリニアベアリングのＡ−Ａ線に沿う縦断面図、図３は図１に示すリニアベアリングの部分平面図、図４は膨らまし式担架に装着した図１のリニアベアリングを示す斜視図、図５は球を上部基板及び下部基板に貫通させた本発明の第２実施形態に係るリニアベアリングを示す平面図、図６は本発明の第２実施形態に係る、基板内に設けられた球を示す平面図、図７はプラットフォームとして構成された本発明に係るリニアベアリングであって図８のＹ−Ｙ線に沿う断面図、図８は図７に示すさらに他の実施形態の平面図である。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【国際調査報告】
2006503243.tif 000015
2006503243.tif 000016
2006503243.tif 000017
2006503243.tif 000018